(57)【要約】【課題】戸体に加えられる力が弱い場合であっても、戸体を完全に閉鎖することができる、引戸の閉鎖装置を提供する。【解決手段】閉鎖装置２が、戸体の端面に出没可能に設けられる摺動部材２２と、摺動部材２２に連結され、回動軸２１ａを中心として扇状に回動するアーム２１と、アーム２１を減速するためのダンパー２３と、アーム２１を付勢する付勢手段２４とを有する。アーム２１の中心線Ｃ１と付勢手段２４の中心線Ｃ２とはずらして配位されており、アーム２１の位置によって付勢方向が変化する。摺動部材２２が戸体の端面より突出している際にはアーム２１が左方に付勢され、摺動部材２２が閉鎖装置本体にある程度没すると、アーム２１が右方に付勢される。よって、戸体を途中まで閉じ、摺動部材２２を介してアーム２１を途中まで移動させることで、その後は自動的に戸体を閉鎖することができ、比較的弱い力でも戸体を確実に閉鎖できる。【選択図】図１
2006283558.tif 000002
【特許請求の範囲】
【請求項１】
戸枠（１２）に対して摺動可能に配位された引戸形式の戸体（１１）を所定の開放位置から閉鎖位置まで自動で閉鎖するための閉鎖装置を有する引戸の閉鎖機構において、
戸体（１１）と戸枠（１２）の何れか一方に設けられた閉鎖装置本体と、
戸体（１１）と戸枠（１２）の何れか他方と閉鎖装置本体との間に配位された作動体（２２）とを備え、
作動体（２２）は、開放位置と閉鎖位置との間に戸体（１１）があるとき、戸体（１１）と戸枠（１２）の何れか他方と閉鎖装置本体とを接続して、両者間の力の伝達を行うものであり、
閉鎖装置本体は、上記接続状態にある作動体（２２）を引き寄せる機構を備えることにより、戸体（１１）を閉鎖するものであることを特徴とする引戸の閉鎖機構。
【請求項２】
戸枠（１２）に対して摺動可能に配位された引戸形式の戸体（１１）を所定の開放位置から閉鎖位置まで自動で閉鎖するための閉鎖装置において、
戸体（１１）と戸枠（１２）の何れか一方に設けられた閉鎖装置本体と、
戸体（１１）と戸枠（１２）の何れか他方と閉鎖装置本体との間に配位された作動体（２２）とを備え、
作動体（２２）は、開放位置と閉鎖位置との間に戸体（１１）があるとき、戸体（１１）と戸枠（１２）の何れか他方と閉鎖装置本体とを接続して、両者間の力の伝達を行うものであり、
閉鎖装置本体は、上記接続状態にある作動体（２２）を引き寄せるための付勢手段（２４）と、上記の移動の際、戸体（１１）の動作を減速するための緩衝手段（２３）とを備えたことを特徴とする引戸の閉鎖装置。
【請求項３】
閉鎖装置本体は、作動体（２２）に接続可能とされたものであって、
開放位置と閉鎖位置との間で、回動軸（２１ａ）を中心として回動する回動体（２１）と、
回動体（２１）が開放位置から閉鎖位置へと移動する際において、回動体（２１）の回動動作を減速させるダンパー（２３）と、
回動体（２１）に対して付勢することにより、回動体（２１）に回動力を加える付勢手段（２４）と、
この付勢手段（２４）による回動力の方向が、回動体（２１）の開放位置側への方向と、閉鎖位置側への方向との２方向の何れかに切り換わる切換構造とを備えたことを特徴とする、請求項２に記載の引戸の閉鎖装置。
【請求項４】
上記の切換構造は、付勢手段（２４）に対する第１支持点（２４ａ）を回動体（２１）側に設け、
回動体（２１）が開放位置と閉鎖位置との間の所定の中間位置である中立位置にある状態において、この第１支持点（２４ａ）から伸びる付勢手段（２４）の付勢方向線（Ｃ２）上に回動体（２１）の回動軸（２１ａ）を位置させることができ、
回動体（２１）の回動に伴い、回動体（２１）の回動軸（２１ａ）に対する上記付勢方向線（Ｃ２）の位置関係が、回動体（２１）の開放位置寄りと閉鎖位置寄りのいずれかに変化するものとされており、
上記の位置関係の変化によって、付勢手段（２４）の回動体（２１）への付勢方向が、開放位置側への方向と、閉鎖位置側への方向との２方向の何れかに切り換わる構造であることを特徴とする、請求項３に記載の引戸の閉鎖装置。
【請求項５】
戸体（１１）に閉鎖装置本体が設けられており、
作動体（２２）は、基端部が回動体（２１）に回動可能に接続され、先端部（２２ａ）が戸体（１１）の開口側端面（１１ａ）から出没可能に配位されたものであり、
ダンパー（２３）は、回動体（２１）に設けられた上記の第１支持点（２４ａ）が戸体（１１）の開口側端面（１１ａ）から遠ざかる方向へと移動する際において、回動体（２１）の動作を減速させるものであり、かつ逆方向に移動する際にはアーム（２１）の動作を減速させないものであり、
回動体（２１）が上記の中立位置よりも開放位置側にある状態における、付勢手段（２４）の回動体（２１）に対する付勢力が、回動体（２１）に接続された作動体（２２）を閉鎖装置本体から突出させた状態を維持するための最低限度の付勢力とされたことを特徴とする、請求項４に記載の引戸の閉鎖装置。
【発明の詳細な説明】
【技術分野】
【０００１】
本願発明は、引戸形式の戸体を閉鎖するための閉鎖機構、及びこれに用いる閉鎖装置に関するものである。
【背景技術】
【０００２】
従来、引戸形式の戸体を閉鎖する際に、戸体に加えた力が大きすぎた場合、戸体が支持されている戸枠に対して戸体が衝突し、衝撃音が発生したり、バウンドしてしまい完全に閉鎖できないことがあった。逆に戸体に加えた力が小さすぎた場合、完全に扉が閉まらずに途中で止まってしまうことがあった。
【０００３】
上記のことを防止して、戸体を完全に閉じるようにするために、ばね等の付勢手段を備えた閉鎖装置が用いられることがある。また逆に、強すぎる力を緩和して緩やかに扉を閉じるようにした緩衝装置が設けられることもある。この緩衝装置は、衝撃を緩和するためのダンパーやばねを戸体や戸枠に取り付けたものであり、このダンパーの作用によって、戸体の急激な動作を緩和するものである。
【０００４】
また、特許文献１（特開平１１−２００７０２号公報）に示される緩衝装置のように、エアシリンダによって、同様の作用をなすものも存在している。
【０００５】
【特許文献１】特開平１１−２００７０２号公報
【発明の開示】
【発明が解決しようとする課題】
【０００６】
ところが、これら従来の閉鎖装置にあっては、戸体の全開位置から全閉位置までの全過程において、戸体を閉じる方向に付勢しており、この付勢が人による戸体の閉鎖の動きを妨げる結果を招いていた。また、従来の緩衝装置にあっては、戸体を閉鎖するために戸体に加えられる力が弱い場合、ばねの付勢力や、ダンパーやエアシリンダの作動抵抗によって、戸体が途中で止まってしまい、完全に閉鎖できないことがあった。
【０００７】
ここで、本願発明は、戸体が少しだけ閉まっていない場合に、完全に戸体を閉めるために作用し、戸体が大きく開いている場合には戸体を自由状態にしておくことができる、引戸の閉鎖機構及び閉鎖装置を提供することを課題とする。
【０００８】
本願発明は上記の他に、戸体に加えられる力が弱い場合であっても、戸体を完全に閉鎖することができ、逆に戸体に加えられる力が大きすぎる場合には、緩衝して緩やかに閉めることができる、引戸の閉鎖機構及び閉鎖装置を提供することを課題とする。
【課題を解決するための手段】
【０００９】
本願の第１の発明は、戸枠１２に対して摺動可能に配位された引戸形式の戸体１１を所定の開放位置から閉鎖位置まで自動で閉鎖するための閉鎖装置を有する引戸の閉鎖機構において、戸体１１と戸枠１２の何れか一方に設けられた閉鎖装置本体と、戸体１１と戸枠１２の何れか他方と閉鎖装置本体との間に配位された作動体２２とを備え、作動体２２は、開放位置と閉鎖位置との間に戸体１１があるとき、戸体１１と戸枠１２の何れか他方と閉鎖装置本体とを接続して、両者間の力の伝達を行うものであり、閉鎖装置本体は、上記接続状態にある作動体２２を引き寄せる機構を備えることにより、戸体１１を閉鎖するものであることを特徴とする引戸の閉鎖機構を提供する。
【００１０】
この発明にあっては、作動体２２が開放位置と閉鎖位置との間に戸体１１があるとき、戸体１１と戸枠１２の何れか他方と閉鎖装置本体とを接続して、両者間の力の伝達を行うものであるため、全開状態ではその接続が行われず、戸体１１は自由状態となる。そして、所定の開放位置まで戸体１１が閉じられると上記の接続がなされる、これにより閉鎖装置本体が作動して、戸体１１を自動的に閉めることができる。従って、閉める力が弱い場合でも、閉鎖装置によって完全に戸体が閉められるものである。
【００１１】
本願第２の発明は、戸枠１２に対して摺動可能に配位された引戸形式の戸体１１を所定の開放位置から閉鎖位置まで自動で閉鎖するための閉鎖装置において、戸体１１と戸枠１２の何れか一方に設けられた閉鎖装置本体と、戸体１１と戸枠１２の何れか他方と閉鎖装置本体との間に配位された作動体２２とを備え、作動体２２は、開放位置と閉鎖位置との間に戸体１１があるとき、戸体１１と戸枠１２の何れか他方と閉鎖装置本体とを接続して、両者間の力の伝達を行うものであり、閉鎖装置本体は、上記接続状態にある作動体２２を引き寄せるための付勢手段２４と、上記の移動の際、戸体１１の動作を減速するための緩衝手段２３とを備えたことを特徴とする引戸の閉鎖装置を提供する。
【００１２】
この発明にあっては、付勢手段２４の付勢によって戸体１１を確実に閉鎖することができ、かつ、緩衝手段２３により減速されるため、戸体１１をゆっくりと安全に閉鎖することができる。
【００１３】
ここで、本願発明において、戸体１１における「開放位置」とは、戸体１１の全開状態から、作動体２２が作動する状態までの間の位置を指すものであり、この範囲内であれば、戸体１１がどの位置にあっても良いが、通常は、閉鎖位置より数十センチ開いた位置に設定することが望ましい。
【００１４】
また、本願第３の発明は、上記第２の発明において、閉鎖装置本体は、作動体２２に接続可能とされたものであって、開放位置と閉鎖位置との間で、回動軸２１ａを中心として回動する回動体２１と、回動体２１が開放位置から閉鎖位置へと移動する際において、回動体２１の回動動作を減速させるダンパー２３と、回動体２１に対して付勢することにより、回動体２１に回動力を加える付勢手段２４と、この付勢手段２４による回動力の方向が、回動体２１の開放位置側への方向と、閉鎖位置側への方向との２方向の何れかに切り換わる切換構造とを備えたことを特徴とする引戸の閉鎖装置を提供する。
【００１５】
上記の切換構造により、回動体２１の位置によって、付勢手段２４の付勢により生じる、回動体２１の回動力の方向を切り換えることができる。これにより、開放位置から切り換え位置までは作動体２２を介して回動体２１を移動させる必要があるが、切り換え後は回動体２１が付勢されるために自動的に閉鎖位置まで移動する。よって、戸体１１に加える力が弱い場合でも確実に閉鎖することができる。加えて、ダンパー２３が回動体２１の回動動作を減速させることにより戸体１１が減速されるため、ゆっくりと安全に閉鎖することができる。
【００１６】
また、本願第４の発明は、上記第３の発明において、上記の切換構造は、付勢手段２４に対する第１支持点２４ａを回動体２１側に設け、回動体２１が開放位置と閉鎖位置との間の所定の中間位置である中立位置にある状態において、この第１支持点２４ａから伸びる付勢手段２４の付勢方向線Ｃ２上に回動体２１の回動軸２１ａを位置させることができ、回動体２１の回動に伴い、回動体２１の回動軸２１ａに対する上記付勢方向線Ｃ２の位置関係が、回動体２１の開放位置寄りと閉鎖位置寄りのいずれかに変化するものとされており、上記の位置関係の変化によって、付勢手段２４の回動体２１への付勢方向が、開放位置側への方向と、閉鎖位置側への方向との２方向の何れかに切り換わる構造であることを特徴とする引戸の閉鎖装置を提供する。
【００１７】
上記により、切換構造が回動体２１と付勢手段２４のみで機能するものであり、簡便な切換構造を提供することができる。
【００１８】
また、本願第５の発明は、上記第４の発明において、戸体１１に閉鎖装置本体が設けられており、作動体２２は、基端部が回動体２１に回動可能に接続され、先端部２２ａが戸体１１の開口側端面１１ａから出没可能に配位されたものであり、ダンパー２３は、回動体２１に設けられた上記の第１支持点２４ａが戸体１１の開口側端面１１ａから遠ざかる方向へと移動する際において、回動体２１の動作を減速させるものであり、かつ逆方向に移動する際にはアーム２１の動作を減速させないものであり、回動体２１が上記の中立位置よりも開放位置側にある状態における、付勢手段２４の回動体２１に対する付勢力が、回動体２１に接続された作動体２２を閉鎖装置本体から突出させた状態を維持を提供する。
【００１９】
上記のように、作動体２２と回動体２１とが一体に動作するように配位されることにより、閉鎖装置をコンパクトにユニット化することができる。
【発明の効果】
【００２０】
本願の第１の発明は、戸体が少しだけ閉まっていない場合に、完全に戸体を閉めるために作用し、大きく開いている場合には戸体を自由状態にしておくことができる閉鎖機構を提供することができたものである。
【００２１】
本願第２の発明にあっては、付勢手段の付勢によって戸体を確実に閉鎖することができ、かつ、緩衝手段により減速されるため、戸体をゆっくりと安全に閉鎖することができる。
【００２２】
本願第３の発明にあっては、第２の発明の効果に加え、切換構造により、回動体に対する付勢手段の付勢方向を切り換えることができる。これにより、付勢手段の補助を受けて戸体を動作させることができ、戸体に加える力が弱い場合でも確実に閉鎖することができる。
【００２３】
また、本願第４の発明にあっては、第３の発明の効果に加え、付勢手段の第１支持点を回動体側に設け、付勢手段による回動体の付勢方向が、開放位置側への方向と、閉鎖位置側への方向との２方向の何れかに切り換わる構造とすることにより、簡便な切換構造を提供することができたものである。
【００２４】
また、本願第５の発明にあっては、第４の発明の効果に加え、作動体と回動体とが一体に動作するように配位されることにより、閉鎖装置をコンパクトにユニット化することができたものである。
【発明を実施するための最良の形態】
【００２５】
以下、図面に基づき本願発明の実施の形態の一例をとりあげて説明する。図１及び図２は本例の閉鎖装置を示す正面図であり、図３は引戸へ本例の閉鎖装置を取り付けた状態を示す正面図である。
【００２６】
本願発明の閉鎖装置２は、本例においては、ケーシング２６の内部に、摺動部材２２，アーム２１，ダンパー２３，付勢手段２４，一時固定手段２５を有するものであって、戸体１１の、開口側である端面１１ａ（本例においては図示左上側端面）に埋め込まれている。ここで、閉鎖装置本体がアーム２１，ダンパー２３，付勢手段２４によって形成されている。そして、摺動部材２２は、作動体として戸体１１と枠体１２との間に配位される棒状の部材であるが、この例では、閉鎖装置本体側に接続された状態で取り付けられている。
【００２７】
なお、本説明において、戸体１１が設けられている戸枠１２とは、戸体１１を摺動させるためのレールや枠等、戸体を支持するものを指し、建築物における引戸１の場合は、柱や壁も含むものである。また、以下の説明における上下左右の表現は、理解を容易にするための便宜上のものであり、これによって、本願発明が制限して理解されるべきではない。
【００２８】
本例の閉鎖装置２のケーシング２６からは、アーム２１に対する作動体としての摺動部材２２が突出するようにして形成される。この摺動部材２２は、戸体１１と戸枠１２との間に位置し、後述するアーム２１を移動させるためのものであり、戸体１１の開放時においては、戸体１１の端面１１ａから突出し、閉鎖時においては、ケーシング２６よりも内側に、つまり戸体の端面１１ａに没するようになっており、水平方向に動作するものである。
【００２９】
本例においては、細長い鋼板の左端部分を直角に折り曲げて形成しているが、摺動部材２２の形状は本例のものに限定されず、丸棒状や鉛筆状等、種々の形態での実施が可能である。本例の摺動部材２２において、折り曲げられた左端部分である先端部２２ａは、後に説明する一時固定手段２５の磁石が吸着する結合部分とされる。また、右端の図示手前側には、アーム２１に対する接続部分としての接続突起２２ｂが突出している。
【００３０】
この摺動部材２２の、戸体１１と戸枠１２との各端面１１ａ，１２ａ間に突出する寸法については、特に限定されるものではなく、戸体１１，戸枠１２，アーム２１等の大きさに合わせて最もスムーズに動作する寸法に形成すれば良いが、具体的には５〜３０ｃｍが望ましい寸法である。この摺動部材２２の寸法により、戸体１１の開放位置も決定される。
【００３１】
回動体であるアーム２１は、回動軸２１ａを介してケーシング２６に取り付けられており、回動軸２１ａを中心に所定範囲内において回動可能となっている。本例では、このアーム２１の回動範囲は扇状であり、図示左端が開放位置、図示右端が閉鎖位置となり、それぞれが戸体１１の開放位置と閉鎖位置とに対応している。
【００３２】
このアーム２１には、必要により、回動範囲を規制するためのストッパーが設けられる。このストッパーはケーシング２６が兼ねるものであっても良い。なお、本例では、アーム２１の長孔２１ｂと、摺動部材２２の接続突起２２ｂとによりアーム２１の回動範囲が決まるものであって、これらがストッパーの機能を果たす。
【００３３】
本例においては、このアーム２１も摺動部材２２と同じく、鋼板からなる細長い棒状のものである。そして、先端にはアームの中心線と平行に長孔２１ｂが形成されている。なお、アーム２１の形状についても、本例のものに限定されず、種々の形態で実施が可能である。
【００３４】
この長孔２１ｂには、上記のように摺動部材２２に設けられた接続突起２２ｂを配位することによって、接続棒２２とアーム２１とが回動可能かつ摺動可能に接続される。即ち、アーム２１と摺動部材２２との間の角度変化を許容しつつ接続することができ、摺動部材２２の水平方向の動作に伴なって、アーム２１が扇状に動作する。
【００３５】
ダンパー２３は、アーム２１が開放位置から閉鎖位置へと至る方向、つまり本例では図示右方に動作する際において、アーム２１の動作を減速させるものであり、本例では円形のものが、回動軸２１ａが中心となるようにしてアーム２１に直接取り付けられている。このダンパー２３はワンウェイクラッチを内蔵するものであり、本例においては、アーム２１が図示右方に移動する際においては減速し、図示左方に移動する際においては減速しないものである。これにより、アーム２１に接続されている摺動部材２２が閉鎖装置本体の内部に押し込まれる際には、ゆっくりと押し込まれるため、戸体の端面１１ａと戸枠の端面１２ａとの間は徐々に狭まっていく。よって、戸体１１が戸枠１２に対して急に衝突することを防止している。
【００３６】
本願発明において用いられるダンパー２３は、アーム２１に連結することによってアーム２１を減速させるものであれば、どのような形態のものであっても良い。よって、本例のような円形のものに限られるものではなく、直線方向に動作するものを使用しても良い。また、ギアやリンク等を介してアーム２１に対して間接的に連結するものであっても良い。
【００３７】
付勢手段２４は、回動軸２１ａを中心としてアーム２１に回動力が作用するように付勢するものである。本例においては、この付勢手段２４としてコイルばねが用いられているが、これに限られず、コイルばね以外のばねや、ゴム等の弾性を有する樹脂を用いるものであって良い。
【００３８】
この付勢手段２４は、本例においては、図１及び図２に示すように中間に滑車２４ｄを介して正面視Ｖ形に配位されているが、これはコンパクトにケーシング２６の内部に納めるための形態であり、コイルばね２４全体を直線状に配位するものであっても良い。
【００３９】
この付勢手段２４によって、回動軸２１ａを中心として、アーム２１に回動力が作用するが、その回動力によるアーム２１の回動方向は、アーム２１の位置によって図示左方向と図示右方向との２方向に変更される。この方向の変更のための構造について説明する。ここで、アーム２１に対する上記の回動方向の変更に関して主に作用する部分は、Ｖ形に配位された付勢手段２４のうちの左側部分、具体的には、付勢手段２４の図示左上端と滑車２４ｄの左端とを結ぶ直線部分である。この部分を作用部分２４ｃと称して以下に説明する。
【００４０】
作用部分２４ｃの上端は、アーム２１の先端部、本例においては長孔２１ｂのやや基端寄りに位置する第１支持点２４ａにて固定されている。また、作用部分２４ｃの下端は、滑車の左側面である第２支持点２４ｂに位置するものであり、両支点２４ａ，２４ｂの間に回動軸２１ａが位置する。
【００４１】
この作用部分２４ｃの中心線Ｃ２は、アーム２１の回動によって、アーム２１の中心線Ｃ１に対する角度が変化する。具体的には、図１に示すようにアーム２１が開放位置にある際において、アーム２１の中心線Ｃ１（第１支持点２４ａと回動軸２１ａとを通る線）と、作用部分２４ｃの中心線Ｃ２（第１支持点２４ａと第２支持点２４ｂとを通る線）とについて、作用部分２４ｃの中心線Ｃ２の方がアーム２１の中心線Ｃ１よりも開放位置寄り（図示左方）に位置するように配位されている。
【００４２】
これにより、アーム２１の先端部が開放位置寄り（図示左方）から閉鎖位置寄り（図示右方）へ移動するに従って、ある角度（中立位置と称する）でアーム２１の中心線Ｃ１と作用部分２４ｃの中心線Ｃ２とが一致し、そして中立位置を越えると、図２に示すように、作用部分２４ｃの中心線Ｃ２の方がアーム２１の中心線Ｃ１よりも右方に位置することとなる。上記のことより、アーム２１の先端部が中立位置よりも図示左方に位置する際は、アーム２１が左方に付勢されることにより回動力が左方向に働き、逆にアーム２１が中立位置よりも図示右方に位置する際は、アーム２１が右方に付勢されることにより回動力が右方向に働く。ちなみにコイルばね２４は中立位置にて最も伸びることとなる。
【００４３】
言い換えれば、回動軸２１ａが中心線Ｃ２より図示右方にある場合、アーム２１は左方向に回動するように付勢され、回動軸２１ａが中心線Ｃ２上にある場合中立位置となり、付勢力はアーム２１の回動のために作用せず、回動軸２１ａが中心線Ｃ２より図示左方にある場合、アーム２１は右方向に回動するように付勢されることとなる。
【００４４】
なお、図１に示すような、中立位置よりも左方にある状態での、コイルばね２４のアーム２１に対する付勢力は、強すぎるとアーム２１を中立位置に持っていくために戸体１１を動かす際、大きな力が必要となるため、摺動部材２２を突出させた状態を維持するための最低限度の付勢力とすることが望ましい。
【００４５】
上記により、図示左方から中立位置までアーム２１の先端部を移動させる際には、摺動部材２２を介してアーム２１に外力を与える必要があるが、中立位置を越えると、コイルばね２４の付勢により、アーム２１は自動的に図示右方に移動する。よって、戸体１１と摺動部材２２を介してアーム２１に与える外力は、図示左方から中立位置までの力のみで済むため、ゆっくりと戸体１１を閉鎖する程度の力で十分であり、従来に比べて弱い力でも戸体を確実に閉鎖することができる。
【００４６】
なお、アーム２１には上記のようにダンパー２３が取り付けられているため、このコイルばね２４の付勢を受ける際においても、アーム２１の図示右方への移動は減速しつつなされ、急激に戸体１１が閉まることがない。
【００４７】
一時固定手段２５は摺動部材２２に対する当接部として、摺動部材２２を戸枠１２に対して一時的に固定するものである。本例では、磁石がプレートに埋め込まれたものが、図３に示すように、戸枠１２における戸体１１の端面１１ａと当接する部分に取り付けられたものである。これにより、摺動部材２２の先端部２２ａを一時固定手段２５の磁石に吸着させることができる。
【００４８】
戸体１１が開放位置から閉鎖位置へと移動する際において、摺動部材２２の先端部２２ａが一時固定手段２５に当接した際、摺動部材２２と一時固定手段２５との間の吸着力は、付勢手段２４のアーム２１に対する付勢力よりも強いため、摺動部材２２が一時固定手段２５に吸着した状態を維持したまま、アーム２１が移動する。これに伴い、戸体１１が戸枠１２へと引き付けられて完全に戸体１１を閉鎖することができ、戸体１１を閉鎖するための外力が弱い場合であっても、確実に動作させることができる。
【００４９】
また、戸体１１を開放する際においても、摺動部材２２の先端部２２ａは一時固定手段２５の磁石に吸着したままの状態を維持する。そのため、戸体１１の開放方向への移動に伴なって摺動部材２２が引っ張られ、アーム２１が、閉鎖位置（図示右方）から開放位置（図示左方）へと回動する。そして最終的には、アーム２１は最左方まで移動し、それ以上移動できなくなるため、この時点で摺動部材２２の先端２２ａが一時固定手段２５から離れる。
【００５０】
ここで、アーム２１は中立位置よりも図示左方に位置しているため、付勢手段２４はアーム２１を介して摺動部材２２を突出させる方向に付勢している。そのため、摺動部材２２が元に戻ってしまうことはなく、閉鎖装置２から突出したままの状態を維持する。
【００５１】
このように、戸体１１を閉鎖位置から開放する場合は、一時固定手段２５が作動体２２に対して閉鎖位置から開放位置に至るまで接続されるため、摺動部材２２に接続されたアーム２１は、確実に開放位置に戻される。
【００５２】
一時固定手段２５は、上記に示したものとは逆に、磁石を摺動部材２２の先端に配位したものであっても良い。また、他に、摺動部材２２と一時固定手段２５とを、突起と、凹部等の受容部との組み合せによって嵌合可能に設けておき、摺動部材２２と一時固定手段２５とが当接した際には、突起と受容部とが嵌合した状態となり、戸体１１を開放する際に、アーム２１の移動に伴って摺動部材２２が引き出された後に、この嵌合が解除されるような構造としても、本例のように磁石を用いた構造と同様の作用をなすことができる。また、ばねを用いた着脱可能な係止構造を採用することもできるものであり、一時固定手段２５については、摺動部材２２との接続離脱が可能であり、かつ、付勢手段２４の付勢力よりも強い力で摺動部材２２との接続を維持し、人が戸体１１を移動させる力にて離脱できることを条件に種々の構造にて実施することが可能である。
【００５３】
また、本例の摺動部材２２は、上記のようにアーム２１に形成された長孔２１ｂと、上記の接続突起２２ｂとが接続されることにより、アーム２１に対して一体に動作するように連結されるものであり、これにより、閉鎖装置をコンパクトにユニット化することができる。
【００５４】
この実施の形態では、摺動部材２２（即ち、作動体）を、接続装置本体Ｓに設けて、この接続装置本体Ｓを戸体１１に取り付けるようにし、摺動部材２２と戸枠１２との間に一時固定手段２５を設けるものとして実施し得る（図４（Ａ）参照）。また、逆に、接続装置本体Ｓを戸枠１２に取り付けるようにし、摺動部材２２と戸体１１との間に一時固定手段２５を設けるものとして実施し得る（図４（Ｂ）参照）。なお、図４（Ａ）（Ｂ）では、一時固定手段２５を戸体１１または戸枠１２側に設け、摺動部材２２側には設けていないが、一時固定手段２５は摺動部材２２側に設けてもよく、双方に設けても良い。
【００５５】
さらに、本願発明は、上記のようにアーム２１に連結した形態のものに限られず、摺動部材２２を閉鎖装置本体とは別に設ける、例えば、戸枠１２から突出するようにして摺動部材２２を固定状態にて形成し、この摺動部材２２の一部（先端部２２ａに限られない）に対して、戸体１１に設けられた閉鎖装置本体のアーム２１の一部が当接することにより、アーム２１を移動させるものとしても良い。この場合において、一時固定手段２５は、このように互いに当接する部分である摺動部材２２の一部とアーム２１の一部との少なくとも何れか一方に設けられる。
【００５６】
即ち、図４（Ｃ）に示すように、摺動部材２２を（即ち、作動体）を戸枠１２に設け、接続装置本体Ｓを戸体１１に設けるものとして実施し得る。また、逆に、接続装置本体Ｓを戸枠１２に取り付けるようにし、摺動部材２２を戸体１１に取り付けるようにしてもよい（図４（Ｄ））。これらの場合、摺動部材２２と接続装置本体Ｓとの間に一時固定手段２５が設けられるが、そのいずれに設けてもよいことは、図４（Ａ）（Ｂ）の例と同様である。
【００５７】
この閉鎖装置２を戸体１１に対して取り付ける際には、本例のように、戸体１１の端面１１ａに埋め込むものに限られず、戸体１１の表面に取り付けるものとしても良い。こうすることによって、閉鎖装置２の無い通常の戸体１１に対して、後付改造により、この閉鎖装置２を容易に取り付けることができる。
【００５８】
また、摺動部材２２を戸体１１や戸枠１２の上部に設け、レール部分に隠す等してもよい。この他、摺動部材２２は作動体として種々の形態に変更することができ、摺動ではなく回動する回動部材として設け、回動部分の動きによって作動体を作動させるものとして実施してもよい。
【図面の簡単な説明】
【００５９】
【図１】戸体の開放時における、本例の閉鎖装置においてケーシングの一部を取り去った状態を示す正面図である。
【図２】戸体の閉鎖時における、本例の閉鎖装置においてケーシングの一部を取り去った状態を示す正面図である。
【図３】引戸へ本例の閉鎖装置を取り付けた状態を示す正面図である。
【図４】（Ａ）〜（Ｄ）とも、それぞれ閉鎖装置の取り付け態様を示す説明図である。
【符号の説明】
【００６０】
１        引戸
１１      戸体
１１ａ    開口側端面（戸体）
１２      戸枠
１２ａ    開口側端面（戸枠）
２        閉鎖装置
２１      回動体、アーム
２１ａ    回動軸
２２      作動体、摺動部材
２２ａ    作動体、摺動部材の先端部
２３      緩衝手段、ダンパー
２４      付勢手段
２４ａ    第１支持点
２４ｂ    第２支持点
２５      一時固定手段
Ｃ２      付勢手段の付勢方向線
【図１】
2006283558.tif 000003
【図２】
2006283558.tif 000004
【図３】
2006283558.tif 000005
【図４】
2006283558.tif 000006